(57)【要約】【課題】視聴すべき番組の人気度を、高い精度かつリアルタイムに取得あるいは提供する電子機器及び映像再生装置を提供する。【解決手段】実施形態において、電子機器は、「評価」入力部と、状態取得部と、送信部と、を具備する。「評価」入力部は、番組に対する関心の高さを入力する。状態取得部は、前記入力部が「評価」を入力した番組が視聴中であることを取得する。送信部は、前記状態取得部が視聴中であることを取得した場合、前記「評価」入力部による入力を情報蓄積部に送信する。【選択図】図２
2013031124.tif 000002
【特許請求の範囲】
【請求項１】
番組に対する関心の高さを入力する「評価」入力部と、
前記入力部が「評価」を入力した番組が視聴中であることを取得する状態取得部と、
前記状態取得部が視聴中であることを取得した場合、前記「評価」入力部による入力を情報蓄積部に送信する送信部と、
を具備する電子機器。
【請求項２】
前記状態取得部が取得した番組のチャンネル情報（放送局番号）に従い、視聴中の番組が前記「評価」入力部が関心度の高さを入力した番組であることを推定する推定部をさらに具備する請求項１記載の電子機器。
【請求項３】
前記送信部は、前記状態取得部が取得した番組のチャンネル情報に従い前記推定部が、前記「評価」入力部が関心度の高さを入力した番組であることを推定した場合、前記「評価」入力部による入力を前記情報蓄積部に送信する際に、前記「評価」入力部が関心度の高さを入力した番組とは異なると推定した場合に比較して加点する請求項２記載の電子機器。
【請求項４】
前記状態取得部が取得した番組のチャンネル情報（放送局番号）と視聴中の番組とを比較する番組表を取得する番組表取得部をさらに具備する請求項１記載の電子機器。
【請求項５】
前記状態取得部が取得した番組のチャンネル情報（放送局番号）に従い、視聴中の番組が前記「評価」入力部が関心度の高さを入力した番組であることを推定する推定部をさらに具備する請求項４記載の電子機器。
【請求項６】
前記送信部は、前記状態取得部が取得した番組のチャンネル情報に従い前記推定部が、前記「評価」入力部が関心度の高さを入力した番組であることを推定した場合、前記「評価」入力部による入力を前記情報蓄積部に送信する際に、前記「評価」入力部が関心度の高さを入力した番組とは異なると推定した場合に比較して加点する請求項４記載の電子機器。
【請求項７】
前記「評価」入力部が関心度の高さを入力する際、パスワードの入力を供給する請求項１記載の電子機器。
【請求項８】
前記入力部が「評価」を入力した番組を「おすすめ」として他の電子機器において参照可能に提示する請求項１記載の電子機器。
【請求項９】
前記入力部により「評価」が入力された番組を「おすすめ」として他の電子機器に提示する請求項１記載の電子機器。
【請求項１０】
出力要求を受信した際に、現在再生中の番組のチャンネル名（放送局番号）を抽出する抽出部と、
前記抽出部が抽出した番組のチャンネル名（放送局番号）を、出力要求の要求元である送信元に送信する送信部と、
を具備する映像再生装置。
【請求項１１】
番組に対する関心の高さを入力する「評価」入力部と、
テレビ装置に対して、状態要求を送信する状態要求送信部と、
状態要求に対するテレビ装置からテレビ状態を取得する状態取得部と、
前記状態取得部が取得したテレビ状態から前記入力部が「評価」を入力した番組が視聴中であることを推定する推定部と、
前記推定部が、テレビ装置のテレビ状態が前記入力部において「評価」を入力した番組が視聴中であると推定した場合、前記「評価」入力部による入力を情報蓄積部に送信する送信部と、
を具備する電子機器を含むネットワークシステム。
【発明の詳細な説明】
【技術分野】
【０００１】
本発明の実施の形態は、放送により、あるいはネットワークを経由して供給される番組を再生する電子機器及び映像再生装置に関する。
【背景技術】
【０００２】
番組あるいはコンテンツを提供する放送局及びネットワークの増大と視聴者が視聴可能な番組あるいはコンテンツのジャンルの多様化により、視聴者が視聴すべき番組を決めるための指針に対する要求が高まっている。
【０００３】
指針の例として、番組表を読む、おすすめサービスを利用する、嗜好キーワードを入力してキーワードと一致する番組を抽出する、等の方法が実用化されている。
【０００４】
なお、指針を用意するうえで、多数の視聴者から録画予約履歴を集めて人気ランキングを提供するサービスや、「視聴率」に従い、視聴すべき番組について、他の視聴者がどのくらいの関心の高さを持っているかを知ることは、極めて重要である。
【先行技術文献】
【特許文献】
【０００５】
【特許文献１】特開２０１０−１０３６３９号公報
【発明の概要】
【発明が解決しようとする課題】
【０００６】
例えば、おすすめサービスを利用する、もしくは嗜好キーワードを入力してキーワードと一致する番組を抽出する、等の手法を用いて視聴すべき番組を決めるための指針を得る場合、おすすめの程度（人気度）を決める要素として、「視聴率」やＳＮＳ（Social Network Service）において公開されている「多数の視聴者から集めた番組の人気度」を参考にすることができる。
【０００７】
しかしながら、「視聴率」は、被験者（モニタ）の視聴履歴から統計処理して視聴率を推測するものであり、モニタ視聴者が利用するテレビから視聴履歴を取得するための環境の整備にコストがかかるとともに、例えばモニタ視聴者がごく少数である、例えば１日分の視聴履歴がまとめてサーバに提供されることに起因してリアルタイムではない、例えば単にテレビを点灯している場合も視聴履歴として取得される、等の課題を含む。
【０００８】
また、多数の視聴者から集めた番組の「人気度」は、視聴者の投稿（「人気度」の基礎となる視聴者からのサーバへのアクセス）に依存することが多く、人気度を高めるための『視聴中ではない、あるいは視聴していない』番組への投稿により、意図的に高められる場合があることを考慮する必要がある（意図的に高められることを否定できない）。
【０００９】
本発明は、視聴すべき番組の人気度を、高い精度かつリアルタイムに取得あるいは提供する電子機器及び映像再生装置を提供するものである。
【課題を解決するための手段】
【００１０】
実施形態において、電子機器は、「評価」入力部と、状態取得部と、送信部と、を具備する。「評価」入力部は、番組に対する関心の高さを入力する。状態取得部は、前記入力部が「評価」を入力した番組が視聴中であることを取得する。送信部は、前記状態取得部が視聴中であることを取得した場合、前記「評価」入力部による入力を情報蓄積部に送信する。
【図面の簡単な説明】
【００１１】
【図１】実施形態を適用する映像再生装置とネットワークの接続の一例を示す図。
【図２】実施形態を適用する端末装置及び映像再生装置の情報の受け渡しの一例を示す図。
【図３】実施形態を適用する端末装置の動作の一例を示す図。
【図４】実施形態を適用する映像再生装置の動作の一例を示す図。
【図５】実施形態を適用する外部装置の動作の一例を示す図。
【図６】実施形態を適用する端末装置の動作（表示）の一例を示す図。
【図７】実施形態を適用する端末装置の動作（表示）の一例を示す図。
【図８】実施形態を適用する端末装置の動作（表示）の一例を示す図。
【図９】実施形態を適用する端末装置の動作（表示）の一例を示す図。
【図１０】実施形態を適用する端末装置の動作（「タグ」）の一例を示す図。
【図１１】実施形態を適用する端末装置の動作（「タグ」）の一例を示す図。
【図１２】実施形態を適用する映像再生装置とネットワークの接続の一例を示す図。
【図１３】実施形態を適用する端末装置の動作（表示）の一例を示す図。
【図１４】実施形態を適用する端末装置の動作（表示）の一例を示す図。
【図１５】実施形態を適用する端末装置の動作（表示）の一例を示す図。
【図１６】実施形態を適用する映像再生装置とネットワークの接続の一例を示す図。
【図１７】実施形態を適用する端末装置の動作（表示）の一例を示す図。
【図１８】実施形態を適用する端末装置の動作（表示）の一例を示す図。
【図１９】実施形態を適用する端末装置の動作（録画予約指示）の一例を示す図。
【図２０】実施形態を適用する映像再生装置の一例を示す図。
【発明を実施するための形態】
【００１２】
以下、実施の形態について図面を参照して説明する。
【００１３】
図１に、視聴者が視聴すべき番組を決める指針となる「人気度（視聴すべき番組のおすすめの程度）」を提示できるネットワークシステムの例を示す。
【００１４】
図１が示すネットワークシステム１（第１のネットワーク）は、第１及び第２の映像再生装置（電子機器）１０１，５０１、第１の映像再生装置１０１及び第１のユーザと関連づけられる第１の端末装置（電子機器）２０１、第２の映像再生装置５０１及び第２のユーザと関連づけられる第２の端末装置（電子機器）４０１、及び「人気度」の集計に利用される情報蓄積部（サーバまたは外部サーバと称されることもある）３０１、を主として含む。なお、第１の映像再生装置１０１は、主として第１のユーザ（識別の必要がない場合、単に、ユーザと称する）が番組を視聴するためのテレビ装置を含む。また、番組は、コンテンツあるいはプログラムもしくはタイトル、等と称されることもあり、以下、単に番組として説明する。
【００１５】
なお、第１の端末装置２０１及び第１のテレビ装置１０１は、例えば家庭内やビル内等の比較的小規模な範囲に適用される閉じたネットワークであるプライベートネットワーク（第２のネットワーク）、例えば家庭内ＬＡＮ１１において、第１のテレビ装置１０１との間で情報の受け渡しが可能である。また、家庭内ＬＡＮ１１は、例えば無線方式であってもよく、例えばbluetooth（登録商標）／ブルートゥース（登録商標）等に代表される近接無線通信を用いることもできる。また、第１の端末装置２０１は、家庭内ＬＡＮ１１のエリア外では、上述したネットワークシステム１における通信規則に従い、上述のサーバ３０１との間の通信及びサーバ３０１を経由した第１のテレビ装置１０１との間の情報の受け渡しが可能である。
【００１６】
なお、上述した各テレビ装置及び携帯端末に組み込まれるさまざまな要素／構成は、以下に説明する例に限らずハードウエアで実現するものであってもよいし、マイクロコンピュータ（処理装置、ＣＰＵ）等を用いてソフトウエアで実現するものであってもよい。また、上述した個々のテレビ装置は、所定の規格、例えばビデオ（Video、動画）については、例えばＭＰＥＧ（Moving Picture Experts Group）−１、−２、−４（Ｈ．２６４／ＡＶＣ）、オーディオ（Audio、音声／音楽）については、例えばＭＰ３（MPEG Audio layer-3）、ＡＣ３（Audio Code number 3）、リニアＰＣＭ（Pulse Coded Module）、静止画については、例えばＪＰＥＧ（Joint Photographic Experts Group）、等に従って符号化されたデジタル情報（番組）を処理することができるものとする。
【００１７】
図１において、第１のテレビ装置１０１により任意の番組を視聴しているユーザ（第１のユーザ）が、視聴中の番組について高い関心を持った場合、すなわち他のユーザ（第２のユーザ等）に対して番組の視聴を勧めることができる。例えば、番組を視聴中のユーザが、上述の「人気度」を算出するための基礎データとなる『評価』を、第１の端末装置２０１からサーバ３０１に入力することで、サーバ３０１が保持する「人気度」の度合いが上昇する。なお、サーバ３０１においては、ユーザから入力された『評価』が「人気度」として保持され、第２のユーザが保持する第２の端末装置４０１からサーバ３０１へアクセスした場合、サーバ３０１から第２の端末装置４０１に提供される「人気度付番組表」において、図６（ａ）に一例を示すが、例えば「☆（星マーク）」の数として、表示される。また、図６（ａ）に示す表示例において、ユーザがその番組の詳細情報を得ようとした場合、表示欄６１１に表示されている「詳細情報へのリンク（詳細情報の表示のための同番組の詳細情報のページへのジャンプ）」マークを操作（マークへの指等による接触／クリック）があった場合、図６（ｂ）に示すように、その番組の詳細情報のページが表示される。
【００１８】
第１のユーザによるサーバ３０１への『評価』の入力は、例えば第１の端末装置２０１に設けられ、ユーザによる「おすすめ」に対応する入力信号を入力可能な『評価』ボタンのオン（押下）もしくはボタン状表示への指の接触（タッチ）等により、実現できる。なお、第１のテレビ装置１０１が地上デジタル方式の放送を受信可能であり、第１の端末装置２０１が第１のテレビ装置１０１に付属するリモコン端末である場合、リモコン端末に用意される「青」ボタン、「赤」ボタン、「緑」ボタン及び「黄」ボタンのいずれかに、上述の『評価』ボタンまたはボタン表示による入力信号の入力（サーバ３０１）への『評価』の入力）を、割り当てることも可能である。
【００１９】
第１の端末装置２０１は、詳細には、第１のテレビ装置１０１との間で通信が可能な、例えば外部との通信あるいは第１のテレビ装置１０１の動作を制御する制御情報の入力が可能な携帯端末装置あるいは第１のテレビ装置１０１の動作を制御する制御指示入力コマンドを出力可能なリモートコントローラであり、通常、ユーザが保持する。
【００２０】
第１の端末装置２０１は、図２に示すように、関心度入力部２１１、状態要求送信部２１３、テレビ状態受信部２１５、視聴状態推定部２１７、番組表受信部２１９及び番組関心度送信部２２１、を少なくとも含む。また、第１のテレビ装置１０１は、状態要求受信部１１１、テレビ状態取得部１１３、及びテレビ状態取得部１１５を少なくとも含む。また、第１の端末装置２０１は、関心度入力部２１１として利用される際に、以下に説明する『評価（おすすめ）／投票』の入力に利用されるタッチパネルを一体に有し、番組表等を表示する表示部２２３、表示部２２３の表示を制御するとともに、タッチパネルのさまざまな入力ボタンあるいはアイコン状の表示からの入力を受け付ける表示制御部２２５、及び装置の各部を制御する主制御部２２７を、含む。
【００２１】
第１の端末装置２０１は、ユーザによるアクセスに従い、番組表受信部２１９により、サーバ（情報蓄積部）３０１からユーザが視聴しようとする番組に関する番組表を取得する。また、第１の端末装置２０１は、番組関心度送信部２２１により、ユーザが視聴した番組に対する『評価（人気度を算出するための基礎データ）／関心度』を、サーバ３０１へ入力が可能である。
【００２２】
なお、第１の端末装置２０１において、関心度入力部２１１は、ユーザが視聴中である番組について、上記『評価』すなわち関心の程度が他のユーザへ「おすすめ」したい程度であるような場合に、サーバ３０１へ、その程度（度合い）の入力が可能である。また、第１の端末装置２０１は、関心度入力部２１１が起動された際に、状態要求送信部２１３を通じて第１のテレビ装置１０１の状態要求受信部１１１にアクセスし、第１のテレビ装置１０１の動作状態を取得する。
【００２３】
すなわち、第１のテレビ装置１０１は、第１の端末装置２０１の状態要求送信部２１３を通じて動作状態の通知が要求されると、（自身の）動作状態をテレビ状態取得部１１３により取得し、テレビ状態送信部１１５を通じて、第１の端末装置２０１のテレビ状態受信部２１５に、自身の動作状態を通知する。なお、第１の端末装置２０１は、テレビ状態受信部２１５が第１の端末装置２０１の動作状態を受信した場合、視聴状態推定部２１７により、例えば第１のテレビ装置１０１のチャンネル情報（放送局番号）から現在視聴中の番組であるか否かを、推定する。これにより、後段に一例を示すが、実際に視聴中である番組に対する『評価（おすすめ）／投票』であることを推定し、『評価』が入力された時点で視聴されている番組がない（視聴していない）と判断できた場合には、サーバ３０１への送信を停止してもよいし、視聴中であると推定できる場合にのみ、サーバ３０１へ送信する、というような、より精度の高い『評価』が可能となる。
【００２４】
また、第１のテレビ装置１０１は、番組（テレビ放送）を受信するチューナ部１１７、受信した映像及びＵＩ（User Interface）を表示するモニタ（表示）部１１９、モニタ部１１９への表示を制御する表示制御部１２１、例えばリモートコントローラ（以下リモコンと称する）からの入力信号を受け付けるリモコン受信部１２３、及び各部を制御する主制御部１２５、を少なくとも含む。なお、主制御部１２５は、リモコン受信部１２３が受信した制御入力（制御コマンド）を受け付け、対応する動作や処理を各部に指示する。
【００２５】
サーバ３０１は、任意のユーザが送信する番組に対する『評価』を集計して「人気度」を求め、第２のユーザもしくは任意のユーザからの要求があった場合に、そのユーザが要求する番組に対する「人気度」あるいは「人気度付番組表」を提示可能に保持する。また、『評価』は、例えばＳＮＳ（Social Network Service）事業者において利用されている『フォローする』、『シェアする』、『支持する』という主旨の入力に相当する。
【００２６】
詳細には、図２に一例を示すが、サーバ３０１は、番組表送信部３１１、番組関心度受信部３１３、番組人気度算出部３１５及び番組人気度出力部３１７、及び各部を制御する制御部３１９、を少なくとも含み、既に説明した第１の端末装置２０１から番組表の送信要求があった場合、番組表送信部３１１から第１の端末装置２０１に番組表を送信する。
【００２７】
サーバ３０１はまた、番組関心度受信部３１３に、第１の端末装置２０１の関心度入力部２２１から『評価』が入力された場合、番組人気度算出部３１５において、「人気度」の集計に反映する。なお、番組人気度算出部３１５が集計した「人気度」は、例えば第２の端末装置４０１からの番組人気度出力要求があった場合、番組人気度出力部３１７から（第２の端末装置４０１に対して）出力される。
【００２８】
第２の端末装置４０１は、図２に一例を示すが、サーバ３０１の番組人気度出力部３１７が出力する「人気度」を受信する番組人気度入力部４１１、番組人気度入力部４１１が受信した「人気度」を（第２のユーザまたは任意のユーザに）提示する番組人気度提示部４１３、及び制御信号等の入力に利用されるタッチパネルを一体に有し、番組人気度提示部４１３が提示する「人気度」、番組表及びタッチパネルのさまざまな入力ボタンあるいはアイコン状の表示を表示する表示部（ディスプレイ）４１５、表示部４１５の表示を制御するとともに、タッチパネルのさまざまな入力ボタンあるいはアイコン状の表示からの入力を受け付ける表示制御部４１７、及び装置の各部を制御する主制御部４１９を、少なくとも含み、ユーザによるアクセスに従い、サーバ３０１が保持する「人気度」あるいは「人気度付番組表」を取得して提示（表示）する。
【００２９】
第２の端末装置４０１は、第２の映像再生装置である第２のテレビ装置５０１との間で通信が可能な、例えば外部との通信あるいは第２のテレビ装置５０１の動作を制御する制御情報の入力が可能な携帯端末装置あるいは第２のテレビ装置５０１の動作を制御する制御指示入力コマンドを出力可能なリモートコントローラであり、保持したユーザの要求に従い、取得した「人気度」により推奨される放送局のチャンネル（放送局番号）を、第２のテレビ装置５０１に、指示できる。これにより、第２のユーザは、第２の端末装置４０１を介して「おすすめ」された「人気度」の高い番組（チャンネル）を、煩雑な番組選択の操作を必要とすることなく、自身が保持する第２のテレビ装置５０１で、容易に視聴できる。
【００３０】
なお、より高い精度で上述の『評価』の入力をサーバ３０１へ入力するため、『評価』が入力された（『評価』ボタンまたはボタン表示が操作された）場合、第１のテレビ装置１０１がオン（視聴中）であることを検出し、さらに表示されている番組を提供している放送局（ｃｈ）名を取得して、実際に視聴中である番組に対する『評価』であることを推定することが好ましい。なお、推定により、『評価』が入力された時点で視聴されている番組がない（視聴していない）と判断できた場合には、サーバ３０１への送信を停止してもよいし、視聴中であると推定できる場合にのみ、サーバ３０１へ送信する、という制御も可能である。なお、視聴中であると推定できる場合にのみ、『評価』の入力を可能とする制御も可能である。具体的には、視聴中のみ『評価』の入力を受け付ける、あるいは『評価』を入力可能なボタン表示を視聴中の番組の画面内に表示する、もしくは視聴中の番組がある場合にのみ『評価』を入力可能に、同ソフトウエア／アプリケーションを起動する、等の制御が可能である。また、視聴中であると推定できる場合には、ポイントを加算する（１回の入力に対応するポイントの倍率を増加する）等の対応も可能である。
【００３１】
図３は、図１及び図２に示したネットワークシステム内における上述の第１のテレビ装置、第１の端末装置、サーバ及び第２の端末装置相互間の情報／制御信号の受け渡しを、第１の端末装置を中心として、ソフトウエア的に示す。
【００３２】
第１の端末装置２０１において、ユーザ（第１のユーザ）が関心度（『評価』）を入力するために関心度入力部２１１へアクセスすると、サーバ３０１との間の情報の受け渡しが設定され（関心度入力モードが起動され）、サーバ３０１が保持する番組表を受信する［３１］。
【００３３】
受信した番組表が表示する任意の番組について、ユーザ（視聴者）が『評価（「おすすめ」）』を入力する（『評価（「おすすめ」）』ボタンまたはボタン表示による入力信号の入力する［３２］。
【００３４】
ユーザ（視聴者）による『評価（「おすすめ」）』ボタンまたはボタン表示による入力信号の入力を受け付けた場合、テレビ装置１０１に対して状態要求を送信し［３３］、テレビ装置１０１から、現在動作中であるか、あるいは視聴中の番組であるか、等のテレビ装置１０１の状態を受信する［３４］。
【００３５】
以下、サーバ３０１から受信した番組表と第１のテレビ装置１０１から取得したテレビ（動作）状態を照合して、ユーザの視聴状態を推定する［３５］。
【００３６】
続いて、あるいは所定のタイミングで、ユーザ（第１のユーザ）の番組関心度をサーバ３０１に、送信する［３６］。
【００３７】
図４は、図１及び図２に示したネットワークシステム内における上述の第１のテレビ装置、第１の端末装置、サーバ及び第２の端末装置相互間の情報／制御信号の受け渡しを、第１のテレビ装置を中心として、ソフトウエア的に示す。
【００３８】
ユーザ（第１のユーザ）が関心度（『評価』）を入力するための第１の端末装置２０１の関心度入力部２１１へのアクセスに従い、第１の端末装置２０１から「状態要求」を受信し［４１］、テレビ状態（自身の動作状態）を取得する［４２］。
【００３９】
取得した自身の動作状態を、テレビ状態として、「状態要求」の送信元である第１の端末装置２０１に送信する［４３］。
【００４０】
図５は、図１及び図２に示したネットワークシステム内における上述の第１のテレビ装置、第１の端末装置、サーバ及び第２の端末装置相互間の情報／制御信号の受け渡しを、サーバ（情報蓄積部）を中心として、ソフトウエア的に示す。
【００４１】
ユーザ（第１のユーザ）が関心度（『評価』）を入力するための第１の端末装置２０１の関心度入力部２１１へのアクセスに従い、第１の端末装置２０１に対し、番組表送信部３１１から「番組表」を送信する［５１］。
【００４２】
第１の端末装置２０１の番組関心度送信部２２１が送信した、自身（サーバ３０１）が送信した「番組表」と関連付けられた「番組関心度」を受信し［５２］、番組人気度算出部３１５で「人気度」を算出して、保持する［５３］。なお、算出した「人気度」は、所定の記憶部に格納されるが、記憶部はサーバ３０１の動作を制御する制御装置のファームウエアであってもよいし、サーバ３０１が保持する記録装置の任意の記録領域であってもよい。また、第１の端末装置２０１から「人気度」が送信される（第１の端末装置２０１における『評価（おすすめ）／投票』ボタンまたはボタン表示からの入力信号の入力のある）毎に、番組人気度算出部３１５で算出する「人気度」が更新される。
【００４３】
記憶した「人気度」は、第２の端末装置４０１によるアクセスがあった場合、アクセスに応じて番組人気度出力部３１７から、任意に出力される［５４］。
【００４４】
図６（ａ）は、サーバ３０１において、ユーザから入力された『評価』が「人気度」として保持され、第２のユーザが保持する第２の端末装置４０１からサーバ３０１へのアクセスがあった場合（及び第１のユーザが関心度を入力した場合、）サーバ３０１から第２の端末装置４０１（あるいは第１の端末装置２０１）に提供される「人気度付番組表」の一例であり、表示欄６１１に表示されている「詳細情報へのリンク」マークから「詳細情報のページへのジャンプ」が入力された（表示欄６１１がクリックされた）場合に、図６（ｂ）に一例を示す「番組表（詳細番組情報）」が表示される。
【００４５】
なお、上述した「おすすめ」ボタンまたはボタン表示による入力信号の入力（サーバ３０１への『評価』の入力）は、入力信号の入力回数に応じ、複数の入力（複数の『おすすめ』）としてカウント（集計）されることが好ましい。但し、「人気度」を意図的に上昇しようとする操作の影響を受けにくくするため、例えば一定期間（２秒程度）に一定回数（５回程度）以上の入力があった場合はサーバ３０１への送信を中止する、等の制御を適用することもできる。
【００４６】
また、番組を視聴中であることをより確実に確認する（「人気度」に反映する）ため、図７（ａ）に示すように、『評価』ボタン（あるいはボタン表示）がオンされた場合、図７（ｂ）に示すように、表示内にパスワード（または氏名等）の入力を促す入力領域を表示させ、入力されたパスワード等と携帯端末装置が保持するパスワードとが一致する場合のみ、ポイントを加算する、という制御も可能である。
【００４７】
また、ユーザが番組の視聴に没入すると『評価』ボタンを押し損ねる（サーバ３０１へのアクセスを忘れる）ことも予想される。このため、図８に示すように、第１の端末装置２０１の表示内に、視聴した番組の視聴履歴を表示し、視聴し終わった番組に対して『評価』ボタンを押すことを促すこともできる。
【００４８】
なお、番組（全時間）に対してだけでなく、番組の経過時間内の任意の位置（時間）において、『評価』が入力されたポイントを加算することも可能である。この場合、サーバ３０１から「人気度付番組表」を取得した携帯端末の表示内には、図９（ａ）に示すように、例えば「『評価』を見る」という主旨のボタンを表示し、図９（ｂ）に示すように、番組中のどの位置（経過時間）でポイントが多いかを表示できる。
【００４９】
また、『評価』が入力された（ボタンがオンされた）位置に、図１０に示すように、１つの番組（タイトル）内を仮想的に任意数に分割し、分割した位置（区間の先頭（開始点）と終端（終了点））に「タグ」を付け、図１１に示すように、「タグリスト」として他のユーザ（視聴者）に公開することも可能である。なお、「タグ」は、その番組を録画した視聴者が「タグリスト」を取得した場合、頭出しに利用することができる。また、「タグ」は、チャプタが、番組の任意の位置（時間）について１対１で対応するため、その数を増やすことが可能であるが、１つのチャプタにおいて、２以上のコメント（サブタイトル）を付与すること、あるいは複数のチャプタを関連づけた特定の再生規則を適用することは困難であることに起因して実用化されたもので、図☆に示すように、区間識別部と、再生リスト生成部と、を含み、区間識別部において再生すべき映像に始点と終点とにより規定される区間を設定してその区間を識別し、再生リスト生成部において、区間識別部が設定した区間を再生するための再生順を、識別情報の配列または、識別情報の再生順に対応する記述により設定することを可能としている。
【００５０】
図１０及び図１１に、上述した「タグ」及び「タグリスト」を説明する。
【００５１】
「タグ」は、図１０に示す通り、［１］〜［１４］で示すチャプタと独立に設定可能であり、開始位置（始点）と終了位置（終点）とにより管理する区間を含む。区間は、重なりあうことを許容する。また、始点または終点が、１または複数の「タグ」で共用されてもよいし、ある「タグ」の始点または終点が別の「タグ」の終点または始点であってもよい。また、「タグ」は、チャプタが番組ごとの時間情報に従う任意数の点であるに対し、上述の始点と終点とを有する区間である。
【００５２】
なお、図１０において、「タグ」としては［Ｂ］〜［Ｍ］は、実質的にチャプタ相互間で区切った区間であるが、例えば［Ａ］は「オープニング」と「最初のＣＭ（Commercial Message）」を含み、［Ｎ］は「最初のＣＭの終端」と「最後のＣＭの始点」との間の「本編（途中のＣＭを含む）」、［Ｏ］は歌手Ａさんが登場している期間、［Ｐ］は歌手Ｂさんが登場している間、というさまざまな区切り例を含む。
【００５３】
上述の「タグ」の始点及び終点は、図２０により後段に説明するテレビ装置（第１のテレビ装置）１０１において、タイムコード（タイマーコントローラ（時計部）９０が管理する時刻）により特定される。
【００５４】
個々の「タグ」には、その「タグ」が含む映像またはオーディオ（音声）が特徴づける［区分］を示す「タグ説明」／「ＩＤ」等の付属情報が付属できる。なお、［区分］としては、例えば［タイトル］、［音楽（歌なし）］、［歌］、［男性］／［女性］、［歌手名］、［ＣＭ］、［配信元（ｃｈ）］、［作成者（ＩＤ）］等であり、１以上、所定の数だけ用意できる。また、「コメント」の［有無］／［表示位置］／［内容］等を任意に設定できる。なお、タイムコード上で最も遅い（番組の終端に近い）位置に付与される「タグ」の終点（終端）には、以降に「タグ」が存在しないことを示す「エンドタグ」が設定できる。また、「コメント」については、２５０字程度の説明文を記録可能である。
【００５５】
なお、［表示位置］としては、第１のテレビ装置１０１における表示画面において、例えば、「左上」、「右上」、「左下」、「右下」、「下（左右方向は概ね中央）」、「上（左右方向は概ね中央）」、「中央」、「右縦（上下方向は概ね中央）」及び「左縦（上下方向は概ね中央）」等の任意の位置を設定できる。
【００５６】
また、「タグ」は、ＣＭ抽出等とリンクして自動的に設定することもできる。『タグ』の自動的な検出と設定には、シーン検出機能すなわち映像または音声の特徴に従い、シーンの切れ目（入れ替わり）を用いることもできる。なお、『タグ』の自動的な検出と設定にはまた、字幕検出機構すなわち「字幕」の有無の検出あるいは、「字幕」の切り替わり等を用いることもできる。また、例えば、００時３４分５６秒ごろ、歌手Ａさん登場予定／番組前半：伊豆東西の旅−西海岸編／後半：伊豆東西の旅−東海岸編等、のようなＥＰＧ（Electric Program Guide／電子番組表）に含まれる特別な区切り情報も利用できる。なお、「タグ」は、番組を、（番組の時間長に対して、）例えば「１／２０」単位／「１／１０」単位／「１２０秒」等の、一定期間（時刻−時刻）で切り分けることによる自動設定が可能である。また、「タグ」は、番組（タイトル）全体で、１つとすることもできる。さらに、「タグ」の開始点または終了点もしくはその両者は、チャプタを規定する区切り点と重複でき、区間の一部または全部が他の「タグ」と重複できる。なお、重複は、２以上であってもよい。
【００５７】
図１２は、図１が示す視聴者が視聴すべき番組を決める指針となる「人気度（視聴すべき番組のおすすめの程度）」を提示できるネットワークシステムの別の例を示す。
【００５８】
図１２が示すネットワークシステム１００１（第１のネットワーク）は、図１により説明したと同様の第１及び第２のテレビ装置１０１，５０１、第１のテレビ装置１０１及び第１のユーザと関連づけられる第１の端末装置２０１、第２のテレビ装置５０１及び第２のユーザと関連づけられる第２の端末装置４０１、及び「人気度」の集計に利用される情報蓄積部（サーバまたは外部サーバと称されることもある）３０１、を少なくとも含み、第１のネットワークからアクセス可能な、例えばＳＮＳ（Social Network Service）事業者が管理する外部（第２）サーバ１６０１との間で、常時、情報の受け渡しを可能としている。なお、第２の端末装置４０１は、主として外部サーバ１６０１から情報を受け取るものとする。
【００５９】
すなわち、図１２が示すネットワークシステム１００１においては、サーバ３０１は、第１の端末装置２０１によるユーザ（第１のユーザ）からの関心度の入力（『評価（おすすめ）／投票』）を受け付け、図１３（ａ）に一例を示すように、ユーザ（第１のユーザ）が希望する外部（ＳＮＳ）サーバ１６０１への「おすすめ」の提示を可能とする。
【００６０】
従って、第２の端末装置４０１を保持する第２の（任意の）ユーザが、サーバ３０１にアクセスすることができない（あるいはサーバ３０１の存在に気づいていない）等の場合において、第２の端末装置４０１を保持する第２の（任意の）ユーザに、ユーザ（第１のユーザ）が、「おすすめ」を提示できる。このとき、第２のユーザが第２の端末装置４０１により参照する表示は、ＳＮＳサーバ１６０１が提示する表示となる。
【００６１】
なお、ＳＮＳサーバ１６０１から第２の（任意の）ユーザへの「おすすめ」の提示方法としては、図１４（ｂ）に一例を示すように、『この番組（○○○）を見た人は、以下の番組（×××）も見ています』、というような視聴傾向が似ているユーザが提示する「人気度」として提示されてもよい（図１４（ａ）は、図１４（ｂ）の表示への遷移前の表示であり、図１３（ａ）と同一である）。
【００６２】
この場合、図１５（ｂ）に一例を示すが、例えば、「この番組を「おすすめ」した人は、次のような番組も「おすすめ」しています。」という、メッセージと番組リストを提示することも可能である（図１５（ａ）は、図１５（ｂ）の表示への遷移前の表示であり、図１３（ａ）と同一である）。
【００６３】
また、ＳＮＳサーバ１６０１へのユーザ（第１のユーザ）からのアクセス（おすすめの提示）を可能とすることにより、第１のユーザのおすすめ（『評価』）を見た他の（第２の）ユーザが気に入った場合、そのユーザ（投稿者）について『フォローする』、『シェアする』、『支持する』あるいは『拍手』という主旨のコメントを送ることも可能となる（図１３（ａ）、図１４（ａ）、図１５（ａ）の表示例参照）。
【００６４】
すなわち、単に関心度の高さを表すだけでなく、関心を持っている人（他のユーザ）との間でコミュニケーションを得ることも可能となり、例えば「友達の輪が広がる」というような効果も期待できる。
【００６５】
図１６は、図１あるいは図１２が示す視聴者が視聴すべき番組を決める指針となる「人気度（視聴すべき番組のおすすめの程度）」を提示できるネットワークシステムの別の例を示す。
【００６６】
図１６が示すネットワークシステム２００１（第１のネットワーク）は、図１及び図１２により説明したと同様の第１のテレビ装置１０１、第１のテレビ装置１０１及び第１のユーザと関連づけられる第１の端末装置２０１、第２のユーザと関連づけられる第２の端末装置４０１、第２の端末装置４０１と関連づけられ、番組の録画が可能な録画再生装置が一体に設けられた第２のテレビ装置２５０１、及び「人気度」の集計に利用される情報蓄積部（サーバまたは外部サーバと称されることもある）２３０１、を少なくとも含み、第１のネットワークからアクセス可能な、例えばＳＮＳ（Social Network Service）事業者が管理する外部（第２）サーバ１６０１との間で、常時、情報の受け渡しを可能としている。なお、第２の端末装置４０１は、主として外部サーバ１６０１から情報を受け取るものとする。
【００６７】
すなわち、図１６が示すネットワークシステム２００１においては、サーバ２３０１において、第１の端末装置２０１によるユーザ（第１のユーザ）からの関心度の入力（「おすすめ（再生リスト）』）を受け付け、図１７（ａ）及び図１７（ｂ）に示すように、外部（ＳＮＳ）サーバ１６０１に対して、第２のユーザが、「おすすめ（再生リスト）」の読み出し（取得と再生）を可能とする。
【００６８】
従って、第２の端末装置４０１を保持する第２の（任意の）ユーザが、サーバ２３０１にアクセスすることができない（あるいはサーバ２３０１の存在に気づいていない）等の場合において、第２の端末装置４０１を保持する第２の（任意の）ユーザに、ユーザ（第１のユーザ）が、「おすすめ」を提示できる。この場合、第２のユーザが第２の端末装置４０１により参照する表示は、ＳＮＳサーバ１６０１が提示する表示となる。
【００６９】
なお、ＳＮＳサーバ１６０１から第２の（任意の）ユーザへの「おすすめ」の提示方法としては、図１４（ｂ）により説明したが、『この番組（○○○）を見た人は、以下の番組（×××）も見ています』、というような、視聴傾向が似ているユーザが提示する「人気度」として提示されてもよい。
【００７０】
この場合、図１８（ｂ）に一例を示すが、図１４（ｂ）により提示された「人気度」の高い番組について、「この番組を録画しますか」というような、「録画」を促すメッセージとその番組の「録画予約」を設定するための「予約」ボタンまたはボタン表示１８５１が用意され、第２の端末装置４０１を保持する第２の（任意の）ユーザによって、録画予約を推奨することも可能である。
【００７１】
また、第２の（任意の）ユーザにより、第２の端末装置４０１に表示された「予約」ボタンまたはボタン表示１８５１から録画予約が入力された場合、例えば図１９に一例を示すが、予約メールとして、第２のテレビ装置２５０１に対する録画予約処理を設定することができる。
【００７２】
なお、図１９は、第２の端末装置４０１により第２のテレビ装置２５０１に設定される録画予約は、例えば第２の端末装置４０１が保持するメールフォームを用い、    
Ａ＞識別コード    「ｄｌｔａｇｇｉｎｇ」    
Ｂ＞パスワード    「＠ａｂｘ３＝パスワード」    
Ｃ＞録画日    「２０２２０２２９」  ←  ２０２２年２月２９日    
Ｄ＞録画開始時刻    「ａｃａａ＝２４時制の時間と分」    
Ｅ＞録画終了時刻    「ｃａｂｄ＝２４時制の時間と分」    
Ｆ＞録画チャンネル    「○○＝放送種別に続けて３桁」    
Ｇ＞番組コード    「◇◇◇◇＝識別符号４桁に種別に続けてチャンネル３桁」    
Ｈ＞取得対象    「文字列と数字によるメッセージ」    
等を、送信することで、実現できる。
【００７３】
図２０は、図１、図１２及び図１６に示した映像再生装置として利用可能なテレビ受信装置の構成の一例を示す。
【００７４】
テレビ受信装置７１１は、映像信号（ビデオデータ）に対応する映像を表示する映像表示器７１３、例えばスピーカ等に代表される音声再生装置であって、音声出力（オーディオデータ）を再生する音声再生器７１５、ユーザからの制御指示（制御入力）信号を受け入れる操作部７１７、ユーザからのリモコン装置Ｒによる操作情報（制御入力）信号を受けつけるリモコン受信部７１９、および制御ブロック（制御部）７６０等を含む。なお、映像表示器（ディスプレイ装置）７１３は、例えば液晶パネル装置であって、付属する照明装置７２５からの照明光（バックライト）を選択的に透過することにより、映像を表示する。また、照明装置７２５は、点灯回路７２７により、周囲の明るさや、連続して点灯されている時間と非点灯時間との差すなわち照明装置７２５の温度に基づいて規定される所定の駆動電圧で点灯される。
【００７５】
制御部７６０は、ＣＰＵまたはＭＰＵ（Main Processing Unit）とよばれる主制御装置（主制御用大規模ＩＣ（ＬＳＩ））７６１を、含む。
【００７６】
制御部７６０（主制御装置７６１）は、操作部７１７からの操作入力、またはリモコン装置Ｒから送出された操作情報を受信部７１９により受信した（リモコン入力）制御信号、もしくはネットワーク接続部（通信インタフェース）７７３を介して外部から供給される情報およびデータに対応して、以下に説明する各部（要素）、及び図２により説明した状態要求受信部１１１、テレビ状態取得部１１３及びテレビ状態送信部１１５等として機能する各要素を、制御する。
【００７７】
制御部７６０はまた、主制御装置７６１が実行する制御プログラムを保持したＲＯＭ（Read Only Memory）７６２、主制御装置７６１の作業エリアを提供するＲＡＭ（Random Access Memory）７６３、各種の設定情報や制御情報あるいはネットワーク接続部７７３を介して外部から供給される情報および録画予約情報などのデータ等を保持する不揮発性メモリ（Non Volatility Memory、ＮＶＭ）７６４、およびＨＤＤ７６５を、含む。
【００７８】
なお、ＮＶＭ７６４は、ネットワーク接続部７７３を経由して取り込まれ、制御部７６０を経由してメッセージや解読されたスケジュール情報等も保持する。
【００７９】
制御部７６０には、半導体メモリであるカード状媒体（メモリカード）Ｍからの情報の読み出しとメモリカードＭへの情報の書き込みを可能とするカード＿ＩＦ７７１、ネットワーク接続部（通信＿ＩＦ）７７３、ＨＤＭＩ処理部７７４と接続するポート７８２、光ディスクＤからの情報すなわち動画データやオーディオ（音声）データの読み出しと光ディスクへの情報の書き込みに用いられるディスクドライブ装置７７５、ＵＳＢ＿Ｉ／Ｆ、およびｉ．Ｌｉｎｋ＿Ｉ／Ｆ（インタフェース）７７７等の任意数のＩ／Ｆ（Interface、インタフェース）群が接続され、それぞれのインタフェースに適合する外部装置、あるいはハブ（拡張装置）もしくはネットワーク制御装置として機能する。
【００８０】
カード＿Ｉ／Ｆ７７１は、カードホルダ７７２に装着されるメモリカードＭから、映像および音声ファイルを読み込むことができ、また、メモリカードＭに、映像および音声ファイルを書き込むことができる。
【００８１】
通信＿Ｉ／Ｆ７７３は、ＬＡＮ端子（ポート）７８１と接続され、イーサネット（登録商標）に適合する規格に従い、外部装置、例えば図示しないが携帯端末装置やモバイルＰＣを介して、あるいはリモコン装置から供給される制御情報や動画データを受け入れる。なお、通信＿Ｉ／Ｆ７７３は、ＬＡＮ対応のハブ（Hub）が接続されることで、ＬＡＮ対応のＨＤＤ（ＮＡＳ（Network Attached Storage）ＨＤＤ）、ＰＣ、ＨＤＤ内臓のＤＶＤレコーダ等の機器の接続が可能である。
【００８２】
ＨＤＭＩ処理部７７４には、ＨＤＭＩ端子７８２を介して、例えば図６に一例を示したレコーダ（映像再生装置）２０１あるいは図示しないＡＶアンプ、もしくはハブが接続される。なお、ＡＶアンプには、図示しないが、例えばＤＶＤレコーダやＤＶＤプレーヤ等が接続される。また、ハブには、例えばＨＤＭＩ端子を備えたＡＶアンプや、ＰＣ、ＨＤＤ内臓のＤＶＤレコーダ、ＤＶＤプレーヤ等の外部機器が接続可能である。なお、ＨＤＭＩ端子７８２がハブと接続される場合には、例えばブロードバンドルータを介して、例えばインターネット等のネットワークとの接続や、ネットワーク上に位置するＰＣや図示しない携帯電話または携帯端末装置、もしくは携帯端末との間の動画ファイル（映像データ）やオーディオファイル（音声データ）の読み込みおよび再生ならびに書き込み（記録）等も可能である。
【００８３】
ディスクドライブ装置７７５は、例えばＤＶＤ規格の光ディスクＭから情報すなわち動画データやオーディオ（音声）データを読み出し、もしくは記録する。また、セットされた光ディスクがＣＤ規格である場合には、オーディオ（音声）データを読み出し、再生するとともに、例えば曲名や演奏時間等を、映像表示器７１３に表示可能に出力する。
【００８４】
ＵＳＢ＿Ｉ／Ｆ７７６は、ＵＳＢポート７８４に接続される図示しないハブを介して、ＵＳＢ＿Ｉ／Ｆを介してアクセス可能に形成されたＨＤＤ、キーボード等が接続可能であり、それぞれのＵＳＢ機器との間で情報の受け渡しが可能である。なお、ＵＳＢ＿Ｉ／Ｆ７７６に対応する携帯電話、デジタルカメラ、メモリカードに対するカードリーダ／ライタも接続可能であることはいうまでもない。
【００８５】
ｉ。Ｌｉｎｋ＿Ｉ／Ｆ７７７は、図示しないが、例えばＡＶ（オーディオ−ビジュアル）−ＨＤＤあるいはＤ（Digital）−ＶＨＳ（Video Home System）等の外部機器、もしくは、外付けのチューナあるいはＳＴＰ（Set Top Box（ケーブルテレビ用受信機））等がシリアル接続可能であり、接続される任意の機器との間で、情報の受け渡しが可能である。
【００８６】
なお、詳述しないが、個々のインタフェースに加えて、もしくは任意の１または複数のインタフェースに代えて、例えばＤＬＮＡ（Digital Living Network Alliance（登録商標））規格等に準拠したネットワークコントローラや、図示しないBluetooth（登録商標）／（ブルートゥース（登録商標））が用意され、それらを経由して、データの受け渡しが可能なレコーダ装置やＨＤＤ装置、もしくは携帯可能な端末装置が接続されてもよいことはいうまでもない。
【００８７】
制御部７６０は、タイマーコントローラ（時計部）７９０を含む。時計部９０は、時刻や、ユーザからの入力により設定される予約録画のための予約時刻（日時）と録画対象チャンネル等の情報を管理するとともに、その情報を保持可能である。なお、時計部７９０は、地上波デジタルチューナ７５０を介して受信するデジタル放送におけるＴＯＴ（Time Offset Table）と呼ばれる「時刻情報」を、常時取得できる。すなわち、電波時計を内蔵している機器と同等の時刻管理が可能である。また、地上波アナログチューナ７５２により受信するアナログアナログ放送の所定のチャンネルからも、毎日、所定の時間に時報を取得可能であることはいうまでもない。また、時計部７９０は、携帯端末装置から供給されるスケジューラ機能やメッセンジャ機能のための情報に対する計時部としても機能する。なお、時計部７９０は、スケジューラ機能およびメッセンジャ機能により規定される所定の時刻において、電源部７９１による、商用電源に対する電源のオン／オフ（通電）を制御できることはいうまでもない。すなわち、コンセントが抜かれている等の物理的に通電が困難な状況下以外においては、映像表示器７１３や信号処理部７４７あるいはＨＤＤ等の電力消費の比較的大きな要素を除く、制御部７６０等への２次電源（ＤＣ（直流）３１Ｖ、あるいは２４Ｖもしくは５Ｖ等）は、通常確保されており、予め規定された時刻に映像表示器７１３や信号処理部７４７あるいはＨＤＤ７６５等が起動されることは、いうまでもない。
【００８８】
以上説明したように、上述の実施形態を適用することで、視聴すべき番組の指針となる人気度を、リアルタイムに取得あるいは提供する（人気度とテレビ番組を連動させることができる）電子機器法及び映像再生装置が得られる。
【００８９】
これにより、視聴中ではない番組に、意図的に人気度を提示することが抑止され、高い精度で人気度提供される。
【００９０】
また、他のユーザへのおすすめの提示、及びおすすめに対する他のユーザからの反響を得ることができ、関心を持っている人（他のユーザ）との間のコミュニケーションを高めることができる。
【００９１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９２】
１…ネットワークシステム、１０１…第１のテレビ装置（映像再生装置）、２０１…第１の端末装置（ユーザ）、３０１…サーバ（情報蓄積部）、４０１…第２の端末装置（第２のユーザ）、５０１…第２のテレビ装置（映像再生装置）。
【図１】
2013031124.tif 000003
【図２】
2013031124.tif 000004
【図３】
2013031124.tif 000005
【図４】
2013031124.tif 000006
【図５】
2013031124.tif 000007
【図６】
2013031124.tif 000008
【図７】
2013031124.tif 000009
【図８】
2013031124.tif 000010
【図９】
2013031124.tif 000011
【図１０】
2013031124.tif 000012
【図１１】
2013031124.tif 000013
【図１２】
2013031124.tif 000014
【図１３】
2013031124.tif 000015
【図１４】
2013031124.tif 000016
【図１５】
2013031124.tif 000017
【図１６】
2013031124.tif 000018
【図１７】
2013031124.tif 000019
【図１８】
2013031124.tif 000020
【図１９】
2013031124.tif 000021
【図２０】
2013031124.tif 000022